(57)【要約】  【課題】最小限の部材で多様な形状の消磁コイルを陰極線管のファンネル部に確実に固定することが出来る消磁コイル固定構造を備えたテレビジョン放送受信機を提供することにある。【解決手段】フロントキャビネット２に固定するための取り付け部５を備え、ファンネル部４にマーキング１１が塗布された陰極線管３と、取り付け部５に固定され、ファンネル部４に８の字状に設置される消磁コイル７と、吸盤部８ｂと、消磁コイルを２本並行に嵌合固定する嵌合部８ａと、摘み部１２がシリコンゴムで一体に樹脂成形された固定部８であって、ファンネル部４に塗布されたマーキング１１と固定部８に形成された摘み部１２の位置を一致させることによって、吸着固定される固定部８と、を備えることを特徴とするテレビジョン放送受信機１。【選択図】      図３
2006135534.tif 000002
【特許請求の範囲】
【請求項１】
テレビジョン放送受信機の筐体に固定するための取り付け部を備え、後部ガラス部に第１マーキングを備える陰極線管と、
前記取り付け部に固定され、前記陰極線管の後部ガラス部に８の字状に設置される消磁コイルと、
平面及び曲面に吸着可能な吸盤部と、前記消磁コイルを２本並行に嵌合固定する嵌合部とがシリコンゴムで一体に樹脂成形された固定部であって、第２マーキングを備えており、前記陰極線管の後部ガラス部に備えられた第１マーキングと前記第２マーキングとの位置を一致させることによって、吸着固定される固定部と、を備えることを特徴とするテレビジョン放送受信機。
【請求項２】
テレビジョン放送受信機の筐体に固定するための取り付け部を備えた陰極線管と、
前記取り付け部に固定され、前記陰極線管の後部ガラス部に設置される消磁コイルと、
平面及び曲面に吸着可能な吸盤部と、前記消磁コイルを嵌合固定する嵌合部とが樹脂成形で一体に形成された固定部であって、前記陰極線管の後部ガラス部に吸着固定される固定部と、を備えることを特徴とするテレビジョン放送受信機。
【請求項３】
前記陰極線管の後部ガラス部は、前記固定部の吸着固定位置を示す第１マーキングを備えており、
前記固定部は、さらに第２マーキングを備えており、
前記第１マーキングと、前記第２マーキングとを一致させることによって、前記固定部を前記消磁コイルの後部ガラス部に吸着固定させることを特徴とする、請求項２に記載のテレビジョン放送受信機。
【請求項４】
前記固定部は、シリコンゴムで一体に形成されることを特徴とする、請求項２乃至３の何れか1つに記載のテレビジョン放送受信機。
【請求項５】
前記消磁コイルは、さらに前記陰極線管の後部ガラス部にループ状に設置され、
前記固定部に備えられた嵌合部は、前記消磁コイルを１本嵌合固定することを特徴とする、請求項２乃至４の何れか1つに記載のテレビジョン放送受信機。
【請求項６】
前記消磁コイルは、さらに前記陰極線管の後部ガラス部に８の字状に設置され、
前記固定部に備えられた嵌合部は、前記消磁コイルを２本平行に嵌合固定することを特徴とする、請求項２乃至４の何れか1つに記載のテレビジョン放送受信機。
【発明の詳細な説明】
【技術分野】
【０００１】
本発明は、テレビジョン放送受信機に関し、特に、多様な形状の消磁コイルを適切な位置に固定する固定部を備えたテレビジョン放送受信機に関する。
【背景技術】
【０００２】
一般に、陰極線管（ブラウン管）を備えるテレビジョン放送受信機に於いて、シャドウマスクやアパーチャグリルが地磁気等の外部磁界による影響を受けて帯磁した場合、カソードから放射される電子ビームが曲げられて、色むら等の不具合が生じる原因となる。こうした不具合を防止するために、銅線をコイル状に巻き、周囲を絶縁テープで被覆したループ状の消磁コイルが陰極線管の後部ガラス部（ファンネル部）に設置されている。消磁コイルの設置方法としては、陰極線管の上部両端に設置され、筐体のフロントキャビネットへの取り付け用に使用される取り付け金具に消磁コイルを吊設して、さらに、粘着テープを使用してファンネル部の下部に消磁コイルを固定する方法が用いられる。しかし、消磁コイルの固定に粘着テープを使用する場合、貼付力が十分でない場合には振動等によってテープが剥がれ、該テープがセンサー等の装置に接触して、誤作動を引き起こす虞がある。したがって、より確実な固定方法が必要とされている。従来からケーブルの固定方法に関する様々な発明が提案されており、こうした発明の中には消磁コイルの固定方法として利用可能な発明も多数存在する。
【０００３】
例えば、特許文献１には線材固定用治具について記載されている。この線材固定用字具は、平板状のベースと該ベース上面に所定の配列で立設した弾性材料からなる複数の挟圧突片で構成されており、線材を該挟圧突片間に圧入することによって、ワンタッチで任意の方向に固定可能である。また、所定以上の力で線材を引き抜くことにより、線材の離脱も可能である。なお、平板状のベースは、裏側に接着剤、或いは、両面テープ等の接着手段を使用することにより設置される。また、特許文献２には、陰極線管の上部両端に設置された取り付け金具と、陰極線管の下部に設置されたガイドにループ状の接地線を掛けて固定する接地線の把持方法について記載されている。また、特許文献３には、ループ状のアース用エンドワイヤーを、陰極線管の上部両端に設置された取り付け金具から吊設して、陰極線管の下方に位置し、筐体に設置されたフック部に掛けることによって、アース用エンドワイヤーを固定する構造について記載されている。また、特許文献４には、撓曲性のポール部と、吸盤部と、コード挿通部とが合成樹脂で一体に形成されたコード支持具について記載されている。該吸盤部は、ポール部の一端に形成されており、コード挿通部はポール部のもう一端に形成されている。また、コード挿通部の形状はリング状であり、リング状の上部に弾力性のあるコード挿入用スリットが形成され、さらに、下部にコードを滑らかに動かすためのコード滑動部が設けられている。
【特許文献１】特開平６−１２０６７９号公報（第２−４頁、第１図）
【特許文献２】特開平６−１４１２６５号公報（第２−３頁、第１図）
【特許文献３】特開２００２−１０１７１号公報（第２−３頁、第１図）
【特許文献４】実開平５−４１１８７号公報（第７−１２頁、第１図）
【発明の開示】
【発明が解決しようとする課題】
【０００４】
上述の通り、特許文献１に記載の線材固定用治具を、消磁コイルを陰極線管のファンネル部に固定するために使用した場合、平板状のベースとファンネル部との固定に、接着剤、或いは、両面テープ等接着手段使用しなければならない。したがって、必要部材が増え、作業工程が煩雑になるだけでなく、製造コストが嵩む虞がある。また、特許文献２に記載の接地線把持方法、及び、特許文献３に記載のアース用エンドワイヤー固定構造を消磁
コイルの固定方法に使用した場合、消磁コイルの形状がループ状であれば、消磁コイルを適切に固定することが可能であるが、消磁コイルが他の形状の場合、適用出来ないことがある。例えば、近年のテレビジョン放送受信機の大型化に伴い、従来のループ状の消磁コイルの代わりに８の字状の消磁コイルが陰極線管に取り付けられる場合がある。特許文献２乃至３の発明を８の字状の消磁コイルを陰極線管への固定に適用した場合、８の字を形成する上下部分の固定は確実となるが、消磁コイルが交差する中心部分を固定することが出来ない。また、特許文献２乃至３の発明では、コイルの固定位置が予め決定されているので、微妙な設置位置の調整を行うことが出来ないというデメリットもある。そして、特許文献４に記載のコード支持具を消磁コイルの固定に使用した場合、コード滑動部が設けられており、コードが固定されず、移動する虞がある。また、ポール部の長さによっては、キャビネット内にコード支持具を設置できない場合もある。
【０００５】
したがって、本発明の目的は、最小限の部材で多様な形状の消磁コイルを陰極線管のファンネル部に確実に固定することが出来る消磁コイル固定構造を備えたテレビジョン放送受信機を提供することにある。
【課題を解決するための手段】
【０００６】
第１発明に係るテレビジョン放送受信機は、テレビジョン放送受信機の筐体に固定するための取り付け部を備え、後部ガラス部に第１マーキングを備える陰極線管と、取り付け部に固定され、陰極線管の後部ガラス部に８の字状に設置される消磁コイルと、平面及び曲面に吸着可能な吸盤部と、消磁コイルを２本並行に嵌合固定する嵌合部とがシリコンゴムで一体に樹脂成形された固定部であって、第２マーキングを備えており、陰極線管の後部ガラス部に備えられた第１マーキングと第２マーキングとの位置を一致させることによって、吸着固定される固定部と、を備えることを特徴とする。
【０００７】
このテレビジョン放送受信機によれば、消磁コイルを固定する固定部が消磁コイルを嵌合固定する嵌合部を有しており、さらに、平面及び曲面に吸着可能な吸盤部を有しているので、粘着テープによって消磁コイルを固定する場合に比して、消磁コイルを確実に固定することが出来る。また、固定部が吸盤部を備えているので、消磁コイルの固定位置を適宜変更することができ、様々な形状の消磁コイルを確実に固定することが出来る。さらに、固定部は吸盤部と嵌合部が一体に形成されているので、必要最小限の部材で消磁コイルを固定することが出来る。
【０００８】
また、このテレビジョン放送受信機によれば、固定部及び陰極線管の後部ガラス部に備えられた第１及び第２マーキングによって、固定部を適切な位置に容易に設置することが出来るので、適切な設置位置に吸着した固定部に消磁コイルを嵌合固定することが出来る。
【０００９】
また、このテレビジョン放送受信機によれば、固定部が耐熱性、柔軟性に優れたシリコンゴムで一体に形成されるので、陰極線管の後部ガラス部に吸着し、消磁コイルを確実に固定することが出来る。
【００１０】
また、このテレビジョン放送受信機によれば、消磁コイルが８の字状に設置される場合に、消磁コイルが交差し、コイルが２本平行に設置される部分を固定部に嵌合固定することが出来るので、８の字状に設置される消磁コイルを確実に固定することが出来る。
【００１１】
第２発明に係るテレビジョン放送受信機は、テレビジョン放送受信機の筐体に固定するための取り付け部を備えた陰極線管と、取り付け部に固定され、陰極線管の後部ガラス部に設置される消磁コイルと、平面及び曲面に吸着可能な吸盤部と、消磁コイルを嵌合固定する嵌合部とが樹脂成形で一体に形成された固定部であって、陰極線管の後部ガラス部に吸着固定される固定部と、を備えることを特徴とする。
【００１２】
このテレビジョン放送受信機によれば、消磁コイルを固定する固定部が消磁コイルを嵌合固定する嵌合部を有しており、さらに、平面及び曲面に吸着可能な吸盤部を有している
ので、粘着テープによって消磁コイルを固定する場合に比して、消磁コイルを確実に固定することが出来る。また、固定部が吸盤部を備えているので、消磁コイルの固定位置を適宜変更することができ、様々な形状の消磁コイルを確実に固定することが出来る。さらに、固定部は吸盤部と嵌合部が一体に形成されているので、必要最小限の部材で消磁コイルを固定することが出来る。
【００１３】
第３発明に係るテレビジョン放送受信機は、第２発明に係るテレビジョン放送受信機に於いて、陰極線管の後部ガラス部は、固定部の吸着固定位置を示す第１マーキングを備えており、固定部は、さらに第２マーキングを備えており、第１マーキングと、第２マーキングとを一致させることによって、固定部を前記消磁コイルの後部ガラス部に吸着固定させることを特徴とする。
【００１４】
このテレビジョン放送受信機によれば、固定部及び陰極線管の後部ガラス部に備えられた第１及び第２マーキングによって、固定部を適切な位置に容易に設置することが出来るので、適切な設置位置に吸着した固定部に消磁コイルを嵌合固定することが出来る。
【００１５】
第４発明に係るテレビジョン放送受信機は、第２乃至第３発明の何れか1つに係るテレ
ビジョン放送受信機に於いて、固定部は、シリコンゴムで一体に形成されることを特徴とする。
【００１６】
このテレビジョン放送受信機によれば、固定部が耐熱性、柔軟性に優れたシリコンゴムで一体に形成されるので、陰極線管の後部ガラス部に吸着し、消磁コイルを確実に固定することが出来る。
【００１７】
第５発明に係るテレビジョン放送受信機は、第２乃至第４発明の何れか1つに係るテレ
ビジョン放送受信機に於いて、消磁コイルは、さらに陰極線管の後部ガラス部にループ状に設置され、固定部に備えられた嵌合部は、消磁コイルを１本嵌合固定することを特徴とする。
【００１８】
このテレビジョン放送受信機によれば、消磁コイルがループ状に設置される場合に、消磁コイルの一部を陰極線管に設置された取り付け部に掛け、一部を固定部に嵌合固定することが出来る。
【００１９】
第６発明に係るテレビジョン放送受信機は、第２乃至第４発明の何れか1つに係るテレ
ビジョン放送受信機に於いて、消磁コイルは、さらに陰極線管の後部ガラス部に８の字状に設置され、固定部に備えられた嵌合部は、消磁コイルを２本平行に嵌合固定することを特徴とする。
【００２０】
このテレビジョン放送受信機によれば、消磁コイルが８の字状に設置される場合に、消磁コイルが交差し、コイルが２本平行に設置される部分を固定部に嵌合固定することが出来る。
【発明の効果】
【００２１】
本発明によれば、最小限の部材で多様な形状の消磁コイルを陰極線管の後部ガラス部に確実に固定することが出来る。
【発明を実施するための最良の形態】
【００２２】
（１）第１実施形態
[構成]
図１は、本実施形態に係るテレビジョン放送受信機１の内部構造に関する背面図である。テレビジョン放送受信機１のフロントキャビネット２の内部に、陰極線管３が設置されている。陰極線管３は、四隅にフロントキャビネット２に固定するための取り付け部５を備えており、取り付け部５とフロントキャビネット２がビス６によってビス留めされる。
【００２３】
陰極線管５の後部ガラス部（ファンネル部４）には、銅線がコイル状に巻かれ、周囲を絶縁テープで被覆された消磁コイル７が設置されている。具体的には、消磁コイル７はループ状にファンネル部４上に設置されており、消磁コイル７の２箇所が陰極線管５の上部両隅に設置された取り付け部５に掛けられて、吊設された状態となっている。そして、陰極線管５の下部に設置された固定部８に消磁コイル７の下部の１箇所が固定されている。
【００２４】
[消磁コイル取り付け構造]  
図２（ａ）乃至（ｂ）は、本実施形態に係る固定部８の側面図及び上面図であり、図２（ｃ）は、本実施形態に係る固定部８が陰極線管３のファンネル部４上に固定される位置を示す図である。
【００２５】
図２（ａ）に図示されているように、固定部８は、嵌合部８ａ、吸盤部８ｂ、溝部８ｃ、開口部８ｄを備えており、シリコンゴムで一体に樹脂成形されている。嵌合部８ａは、吸盤部８ｂ上に略垂直に形成された消磁コイル７を固定する部位であり、嵌合部８ａに設けられた開口部８ｄから消磁コイル７が溝部８ｃに嵌め込まれることによって、消磁コイル７が固定される。溝部８ｃは、断面形状が略円形の溝であり、溝部８ｃの径は消磁コイル７の径と略同一の大きさである。なお、消磁コイル７を溝部８に嵌め込むための開口部８ｄは消磁コイル７の径よりも小さく形成されているが、固定部８はシリコンゴムで樹脂成形されているので、所定の割合まで伸縮可能である。したがって、消磁コイル７が溝部８ｃに一端嵌合されると、消磁コイル７が開口部８ｄから容易に外れることはなく、確実に固定することが出来る。吸盤部８ｂは弾力性のある盃型の部位であり、吸着部８ｂを平面及び曲面に押し付けると、吸盤部８の空気が排出されて平面及び曲面に吸着する。
【００２６】
また、図２（ｂ）に図示されているように、固定部８は、吸盤部８ｂ上にマーキング１０を有している。マーキング１０は、陰極線管３のファンネル部４に固定部８を設置させる際の目印であり、塗料が塗布されたものである。図２（ｃ）に図示されているように、ファンネル部４上に於いて、固定部８が設置される位置には、マーキング１１が塗布されており、該マーキング１１の中心と、固定部８に塗布されたマーキング１０の先端が一致するように固定部８をファンネル部４上に固定し、固定部８に消磁コイル７を嵌合させると、消磁コイル７をファンネル部４上の適切な位置に固定することが出来る。なお、本実施形態に於いて、固定部８をファンネル部４に固定する際の目印として、マーキング１０を固定部８に塗布する構成としたが、吸盤部８ｂの吸着状態を解除させるための摘み部を設けて、固定部８をファンネル部４に固定する際の目印としても良い。
【００２７】
また、本実施形態に於いては、消磁コイル７を陰極線管３に設けられた取り付け部５に掛ける構成としたが、取り付け部５にフック形状のフック部を別途取り付けて、該フック部に消磁コイルを嵌合させる構成としても良い。
【００２８】
[作用効果]
本実施形態に係るテレビジョン放送受信機１によれば、消磁コイル７を固定する固定部８が消磁コイル７を嵌合固定する嵌合部８ａを有しており、さらに、平面及び曲面に吸着可能な吸盤部８ｂを有しているので、粘着テープによって消磁コイル７を固定する場合に比して、消磁コイル７を確実に固定することが出来る。また、固定部８が吸盤部８ｂを備えているので、消磁コイル７の固定位置を適宜変更することが出来る。
【００２９】
また、本実施形態に係るテレビジョン放送受信機１によれば、固定部８は嵌合部８ａと吸盤部８ｂとがシリコンゴムで一体に樹脂成形されているので、必要最小限の部材で消磁コイル７を固定することが出来る。さらに、固定部８が耐熱性、柔軟性に優れたシリコンゴムで一体に樹脂成形されるので、陰極線管３のファンネル部４に確実に吸着し、消磁コイル７を固定することが出来る。
【００３０】
また、本実施形態に係るテレビジョン放送受信機１によれば、固定部８に塗布されたマーキング１０、及び、陰極線管３のファンネル部４に塗布されたマーキング１１によって、固定部８を適切な位置に容易に設置することが出来る。
【００３１】
また、本実施形態に係るテレビジョン放送受信機１によれば、消磁コイル７がループ状に設置される場合に、消磁コイル７の一部を陰極線管３に設置された取り付け部５に掛け、一部を固定部８に嵌合固定することが出来るので、ループ状に設置される消磁コイル７を確実に固定することが出来る。
（２）第２実施形態
[構成]
図３は、本実施形態に係るテレビジョン放送受信機１の内部構造に関する背面図である。但し、本実施形態に係るテレビジョン放送受信機１の内部構造に関する背面図は、前述の第１実施形態に係るテレビジョン放送受信機１の内部構造に関する背面図（図１参照）と略同一であるので、同一部分には同一符号を付し、説明を省略する。したがって、ここでは図１と異なる部分について説明する。
【００３２】
陰極線管５のファンネル部４には、銅線がコイル状に巻かれ、周囲を絶縁テープで被覆された消磁コイル７が設置されている。具体的には、消磁コイル７は８の字状にファンネル部４上に設置されている。８の字状に設置された消磁コイル７の上下両辺の夫々は、陰極線管５の上部両隅に設置された２箇所の取り付け部５に掛けられ、吊設された状態となっている。そして、消磁コイル７が交差する辺には、左右両側に結束バンド９が設けられており、コイル２本が平行に設置される状態で消磁コイル７を固定し、消磁コイル７が交差する辺の中心部は、固定部８によって確実に固定される。
【００３３】
[消磁コイル取り付け構造]
図４（ａ）乃至（ｂ）は、本実施形態に係る固定部８の側面図及び上面図であり、図４（ｃ）は、本実施形態に係る固定部８が陰極線管３のファンネル部４上に固定される位置を示す図である。
【００３４】
図４（ａ）及び（ｂ）に図示されているように、固定部８は、嵌合部８ａ、吸盤部８ｂ、２本の溝部８ｃ、開口部８ｄ、摘み部１２を備えており、シリコンゴムで一体に樹脂成形されている。嵌合部８ａは、吸盤部８ｂ上に略垂直に形成された消磁コイル７を固定する部位であり、嵌合部８ａに設けられた２つの溝部８ｃに消磁コイル７が平行に嵌め込まれることによって、８の字状に設置される消磁コイル７の中心に位置する２本のコイルが嵌合固定される。溝部８ｃは、断面形状が略円形の溝であり、溝部８ｃの径は消磁コイル７の径と略同一の大きさである。なお、消磁コイル７を溝部８に嵌め込むための開口部８ｄは消磁コイル７の径よりも小さく形成されているが、固定部８はシリコンゴムで樹脂成形されているので、所定の割合まで伸縮可能である。したがって、消磁コイル７が溝部８ｃに一端嵌合されると、消磁コイル７を確実に固定することが出来る。吸盤部８ｂは、弾力性のある盃型の部位であり、吸着部８ｂを平面又は曲面に押し付けると、吸盤部８の空気が排出されて平面及び曲面に吸着する。摘み部１２は、平面及び曲面に吸着した吸盤部８ｂを取り外す際に使用される部位であり、摘み部１２を引き上げることによって、吸盤部８ｂ内の空間に空気が入り、吸着状態を解除することが出来る。
【００３５】
また、図４（ｃ）に図示されているように、固定部８に形成された摘み部１２は、陰極線管３のファンネル部４に固定部８を設置させる際の目印として使用される。具体的には、ファンネル部４上に於いて、固定部８が設置される位置には、マーキング１１が塗布されており、該マーキング１１の中心と、固定部８に形成された摘み部１２の先端が一致す
るように固定部８をファンネル部４上に固定して、固定部８に消磁コイル７を嵌合させると、消磁コイル７を陰極線管３上の適切な位置に固定することが出来る。なお、本実施形態に於いて、固定部８をファンネル部４に固定する際の目印として、吸盤部８ｂの吸着状態を解除させるための摘み部１２を使用する構成としたが、前述の第１実施形態に係るテレビジョン放送受信機１に於ける固定部８と同様に、マーキング１０を塗布することにより、固定部８をファンネル部４に固定する際の目印としても良い。
【００３６】
また、本実施形態に於いては、消磁コイル７を陰極線管３に設けられた取り付け部５に掛ける構成としたが、取り付け部５にフック形状のフック部を取り付けて、該フック部に消磁コイルを嵌合させる構成としても良い。
【００３７】
[作用効果]
本実施形態に係るテレビジョン放送受信機１によれば、消磁コイル７を固定する固定部８が消磁コイル７を嵌合固定する嵌合部８ａを有しており、さらに、平面及び曲面に吸着可能な吸盤部８ｂを有しているので、粘着テープによって消磁コイル７を固定する場合に比して、消磁コイル７を確実に固定することが出来る。また、固定部８が吸盤部８ｂを備えているので、消磁コイル７の固定位置を適宜変更することが出来る。
【００３８】
また、本実施形態に係るテレビジョン放送受信機１によれば、固定部８は嵌合部８ａと吸盤部８ｂとがシリコンゴムで一体に樹脂成形されているので、必要最小限の部材で消磁コイル７を固定することが出来る。さらに、固定部８が耐熱性、柔軟性に優れたシリコンゴムで一体に樹脂形成されるので、陰極線管３のファンネル部４に確実に吸着し、消磁コイル７を固定することが出来る。
【００３９】
また、本実施形態に係るテレビジョン放送受信機１によれば、固定部８に形成された摘み部１２、及び、陰極線管３のファンネル部４に塗布されたマーキング１１によって、固定部８を適切な位置に容易に設置することが出来る。
【００４０】
また、本実施形態に係るテレビジョン放送受信機１によれば、消磁コイル７が８の字状に設置される場合に、陰極線管３の四隅に設置された取り付け部５に８の字状の消磁コイル７の上下両辺を掛け、消磁コイル７が交差し、コイルが２本平行に設置される部分を固定部８に設けられた２つの溝部８ｃを有する嵌合部８ａに嵌合固定することが出来るので、消磁コイル８を確実にファンネル部４に固定することが可能となる。
【図面の簡単な説明】
【００４１】
【図１】第１実施形態に係るテレビジョン放送受信機１の内部構造に関する背面図。
【図２】第１実施形態に係る固定部８の側面図と上面図、及び、固定部８の設置位置に関する図。
【図３】第２実施形態に係るテレビジョン放送受信機１の内部構造に関する背面図。
【図４】第２実施形態に係る固定部８の側面図と上面図、及び、固定部８の設置位置に関する図。
【符号の説明】
【００４２】
１      テレビジョン放送受信機  
２      フロントキャビネット    
３      陰極線管
４      ファンネル部
５      取り付け部
６      ビス
７      消磁コイル
８      固定部
８ａ    嵌合部
８ｂ    吸盤部
８ｃ    溝部
８ｄ    開口部
９      結束バンド    
１０    マーキング
１１    マーキング
１２    摘み部
【図１】
2006135534.tif 000003
【図２】
2006135534.tif 000004
【図３】
2006135534.tif 000005
【図４】
2006135534.tif 000006